(57)【要約】【課題】窓ガラスの焼き破りを確実に検出することができる窓ガラス焼き破り防犯装置を提供する。【解決手段】窓ガラスに貼着された焼き破り検知シート１０と窓框に取り付けられた焼き破り判定・報知ユニット２０とが接続線３０を介して接続されている。焼き破り検知シート１０は、電気絶縁性及び熱溶融性を有する外側透明フィルム１１、中間透明フィルム１２及び内側透明フィルムと、中間透明フィルム１２と外側透明フィルム１１及び内側透明フィルムとの間に挟み込まれる耐熱性を有する外側耐熱電極線１４及び内側耐熱電極線１５と、外側耐熱電極線１４及び内側耐熱電極線１５を接続するコンデンサ１６とを備え、焼き破り判定・報知ユニット２０は、パルス信号を出力したときに、第１の前記信号入力回路２３を介して入力される信号に基づいて、窓ガラスが焼き破られようとしているか否かを判定し、窓ガラスの焼き破りと判定した場合は、その旨を報知する。【選択図】        図４
2008269370.tif 000002
【特許請求の範囲】
【請求項１】
電気絶縁性を有する、外側透明フィルム及び内側透明フィルム、
外面側が前記外側透明フィルムに貼着され、内面側が前記内側透明フィルムに貼着された電気絶縁性及び熱溶融性を有する中間透明フィルム、
前記外側透明フィルムと前記中間透明フィルムとの間に挟み込まれる、電気的に相互に接続された状態で並列的に配置された複数の外側耐熱電極線及び
前記外側耐熱電極線と平面的に交差する状態で、前記内側透明フィルムと前記中間透明フィルムとの間に挟み込まれる、電気的に相互に接続された状態で並列的に配置された複数の内側耐熱電極線を有し、
前記内側透明フィルム側が窓ガラスの外面または内面の略全面に貼着される焼き破り検知シートと、
前記外側耐熱電極線と前記内側耐熱電極線とをコンデンサを介して接続する電極接続部と、
パルス信号出力機能を有する制御手段、
前記外側耐熱電極線または前記内側耐熱電極線のいずれか一方と前記制御手段とを接続する信号出力回路、
前記外側耐熱電極線または前記内側耐熱電極線の他方と前記制御手段とを、ＣＲ積分回路を介して、接続する信号入力回路及び
前記窓ガラスが焼き破られようとしている旨を報知する報知手段を有し、
前記制御手段は、前記信号出力回路を介してパルス信号を出力したときに、前記信号入力回路を介して入力される信号に基づいて、前記窓ガラスが焼き破られようとしているか否かを判定し、前記窓ガラスが焼き破られようとしていると判定した場合は、前記報知手段にその旨を報知させる焼き破り判定・報知ユニットと
を備えていることを特徴とする窓ガラス焼き破り防犯装置。
【請求項２】
電気絶縁性を有する、外側透明フィルム及び内側透明フィルム、
外面側が前記外側透明フィルムに貼着され、内面側が前記内側透明フィルムに貼着された電気絶縁性及び熱溶融性を有する中間透明フィルム、
前記外側透明フィルムと前記中間透明フィルムとの間に挟み込まれる、電気的に相互に接続された状態で並列的に配置された複数の外側耐熱電極線、
前記外側耐熱電極線と平面的に交差する状態で、前記内側透明フィルムと前記中間透明フィルムとの間に挟み込まれる、電気的に相互に接続された状態で並列的に配置された複数の内側耐熱電極線及び
前記外側耐熱電極線と前記内側耐熱電極線とをコンデンサを介して接続する電極接続部を有し、
前記内側透明フィルム側が窓ガラスの外面または内面の略全面に貼着される焼き破り検知シートと、
パルス信号出力機能を有する制御手段、
前記外側耐熱電極線または前記内側耐熱電極線のいずれか一方と前記制御手段とを接続する信号出力回路、
前記外側耐熱電極線または前記内側耐熱電極線の他方と前記制御手段とを、ＣＲ積分回路を介して、接続する第１の信号入力回路、
前記外側耐熱電極線または前記内側耐熱電極線の他方と前記制御手段とを、入力された立ち上がりエッジ信号に基づいてパルス信号を生成して出力するパルス信号生成回路を介して、接続する第２の信号入力回路及び
前記窓ガラスが焼き破られようとしている旨を報知する報知手段を有し、
前記制御手段は、前記信号出力回路を介してパルス信号を出力したときに、第１の前記信号入力回路を介して入力される信号に基づいて、前記窓ガラスが焼き破られようとしているか否かを判定し、前記窓ガラスが焼き破られようとしていると判定した場合は、前記報知手段にその旨を報知させる焼き破り判定・報知ユニットと
を備え、
前記焼き破り判定・報知ユニットの前記制御手段は、第２の前記信号入力回路を介して入力される信号に基づいて、前記焼き破り検知シートと前記焼き破り判定・報知ユニットとの間で断線しているか否かを判断し、断線していると判断した場合は、前記報知手段にその旨を報知させるようになっていることを特徴とする窓ガラス焼き破り防犯装置。
【発明の詳細な説明】
【技術分野】
【０００１】
この発明は、窓ガラスの焼き破りを確実に検出することができる窓ガラス焼き破り防犯装置に関する。
【背景技術】
【０００２】
近年、家屋に侵入して窃盗を働く窃盗犯の手口としては、窓ガラスにおける錠部の周辺部分をガスバーナーや火力の強いライターのようなもので局所的に加熱した後、水を掛けて急速冷却することにより、ヒビを入れて割り、解錠して侵入する、所謂「焼き破り」が急増している。
【０００３】
こういった窓ガラスの焼き破りを検出するために、従来は、例えば、窓框における錠部近傍に、窓ガラスから発せられる赤外線や紫外線を感知するセンサを取り付け、こういったセンサによって、炎から出ている熱や成分を検知することで、窓ガラスの焼き破りを間接的に検出している。
【０００４】
【特許文献１】特開２００６−２３６３２２号公報
【発明の開示】
【発明が解決しようとする課題】
【０００５】
しかしながら、上述したようなセンサによって炎から発せられる赤外線や紫外線を感知することで、窓ガラスの焼き破りを間接的に検出する防犯装置では、近くで焚き火をしている場合に、その焚き火の炎から発せられる赤外線や紫外線を感知したり、季節によっては、窓面に照射される直射日光の赤外線や紫外線を感知したりすることで、窓ガラスの焼き破りを誤検出するおそれがある。
【０００６】
そこで、この発明の課題は、窓ガラスの焼き破りを確実に検出することができる窓ガラス焼き破り防犯装置を提供することにある。
【課題を解決するための手段】
【０００７】
上記の課題を解決するため、請求項１に係る発明は、電気絶縁性を有する、外側透明フィルム及び内側透明フィルム、外面側が前記外側透明フィルムに貼着され、内面側が前記内側透明フィルムに貼着された電気絶縁性及び熱溶融性を有する中間透明フィルム、前記外側透明フィルムと前記中間透明フィルムとの間に挟み込まれる、電気的に相互に接続された状態で並列的に配置された複数の外側耐熱電極線及び前記外側耐熱電極線と平面的に交差する状態で、前記内側透明フィルムと前記中間透明フィルムとの間に挟み込まれる、電気的に相互に接続された状態で並列的に配置された複数の内側耐熱電極線を有し、前記内側透明フィルム側が窓ガラスの外面または内面の略全面に貼着される焼き破り検知シートと、前記外側耐熱電極線と前記内側耐熱電極線とをコンデンサを介して接続する電極接続部と、パルス信号出力機能を有する制御手段、前記外側耐熱電極線または前記内側耐熱電極線のいずれか一方と前記制御手段とを接続する信号出力回路、前記外側耐熱電極線または前記内側耐熱電極線の他方と前記制御手段とを、ＣＲ積分回路を介して、接続する信号入力回路及び前記窓ガラスが焼き破られようとしている旨を報知する報知手段を有し、前記制御手段は、前記信号出力回路を介してパルス信号を出力したときに、前記信号入力回路を介して入力される信号に基づいて、前記窓ガラスが焼き破られようとしているか否かを判定し、前記窓ガラスが焼き破られようとしていると判定した場合は、前記報知手段にその旨を報知させる焼き破り判定・報知ユニットとを備えていることを特徴とする窓ガラス焼き破り防犯装置を提供するものである。
【０００８】
また、上記の課題を解決するため、請求項２に係る発明は、電気絶縁性を有する、外側透明フィルム及び内側透明フィルム、外面側が前記外側透明フィルムに貼着され、内面側が前記内側透明フィルムに貼着された電気絶縁性及び熱溶融性を有する中間透明フィルム、前記外側透明フィルムと前記中間透明フィルムとの間に挟み込まれる、電気的に相互に接続された状態で並列的に配置された複数の外側耐熱電極線、前記外側耐熱電極線と平面的に交差する状態で、前記内側透明フィルムと前記中間透明フィルムとの間に挟み込まれる、電気的に相互に接続された状態で並列的に配置された複数の内側耐熱電極線及び前記外側耐熱電極線と前記内側耐熱電極線とをコンデンサを介して接続する電極接続部を有し、前記内側透明フィルム側が窓ガラスの外面または内面の略全面に貼着される焼き破り検知シートと、パルス信号出力機能を有する制御手段、前記外側耐熱電極線または前記内側耐熱電極線のいずれか一方と前記制御手段とを接続する信号出力回路、前記外側耐熱電極線または前記内側耐熱電極線の他方と前記制御手段とを、ＣＲ積分回路を介して、接続する第１の信号入力回路、前記外側耐熱電極線または前記内側耐熱電極線の他方と前記制御手段とを、入力された立ち上がりエッジ信号に基づいてパルス信号を生成して出力するパルス信号生成回路を介して、接続する第２の信号入力回路及び前記窓ガラスが焼き破られようとしている旨を報知する報知手段を有し、前記制御手段は、前記信号出力回路を介してパルス信号を出力したときに、第１の前記信号入力回路を介して入力される信号に基づいて、前記窓ガラスが焼き破られようとしているか否かを判定し、前記窓ガラスが焼き破られようとしていると判定した場合は、前記報知手段にその旨を報知させる焼き破り判定・報知ユニットとを備え、前記焼き破り判定・報知ユニットの前記制御手段は、第２の前記信号入力回路を介して入力される信号に基づいて、前記焼き破り検知シートと前記焼き破り判定・報知ユニットとの間で断線しているか否かを判定し、断線していると判定した場合は、前記報知手段にその旨を報知させるようになっていることを特徴とする窓ガラス焼き破り防犯装置を提供するものである。
【発明の効果】
【０００９】
以上のように、請求項１に係る発明の窓ガラス焼き破り防犯装置では、正常状態において、制御手段が信号出力回路を介してパルス信号を出力すると、電極接続部のコンデンサによって、信号入力回路にはパルス信号の立ち上がりエッジ信号が入力され、この立ち上がりエッジ信号がＣＲ積分回路を通過することによって、Ｌｏｗ信号として制御手段に入力される。
【００１０】
一方、窓ガラスを焼き破ろうとしてガスバーナーやライターのようなもので局所的に加熱すると、焼き破り検知シートを構成している中間透明フィルムが溶融し、外側耐熱電極線と内側耐熱電極線とが短絡するので、制御手段が信号出力回路を介してパルス信号を出力すると、信号入力回路には出力されたパルス信号と同様のパルス信号が入力され、このパルス信号がＣＲ積分回路を通過することによって、Ｈｉ信号として制御手段に入力される。
【００１１】
従って、制御手段は、入力信号がＬｏｗ信号かＨｉ信号かによって、正常状態か窓ガラスを焼き破ろうとしているのかを判定することができ、Ｈｉ信号が入力された場合は、窓ガラスを焼き破ろうとしているとして、その旨を確実に報知することができる。
【００１２】
また、請求項２に係る発明の窓ガラス焼き破り防犯装置では、請求項１に係る発明の窓ガラス焼き破り防犯装置と同様に、第１の信号入力回路を介して制御手段に入力される信号がＬｏｗ信号かＨｉ信号かによって、正常状態か窓ガラスを焼き破ろうとしているのかを判定することができ、Ｈｉ信号が入力された場合は、窓ガラスを焼き破ろうとしているとして、その旨を確実に報知することができる。
【００１３】
さらに、この窓ガラス焼き破り防犯装置では、外側耐熱電極線または内側耐熱電極線の他方と制御手段とを、入力された立ち上がりエッジ信号に基づいてパルス信号を生成して出力するパルス信号生成回路を介して、接続する第２の信号入力回路を有しており、焼き破り検知シートと焼き破り判定・報知ユニットとの間で断線していない場合は、制御手段が信号出力回路を介してパルス信号を出力すると、第２の信号入力回路に立ち上がりエッジ信号が入力され、これに伴って、第２の信号入力回路から制御手段にパルス信号が入力されるが、焼き破り検知シートと焼き破り判定・報知ユニットとの間で断線している場合は、第２の信号入力回路に立ち上がりエッジ信号が入力されず、第２の信号入力回路から制御手段にパルス信号が入力されなくなるので、第２の信号入力回路を介して制御手段にパルス信号が入力されるか否かによって、断線しているか否かを判定することができ、断線している場合は、その旨を確実に報知することができる。
【発明を実施するための最良の形態】
【００１４】
以下、実施の形態について図面を参照して説明する。図１（ａ）、（ｂ）に示すように、この窓ガラス焼き破り防犯装置１は、窓ガラスＷＧの外面の略全面に貼着される焼き破り検知シート１０と、窓框ＷＦにおける室内側に取り付けられた焼き破り判定・報知ユニット２０とを備えており、焼き破り検知シート１０及び焼き破り判定・報知ユニット２０は、窓框ＷＦを貫通する接続線３０を介して相互に接続されている。
【００１５】
前記焼き破り検知シート１０は、図２（ａ）、（ｂ）及び図３に示すように、ポリ塩化ビニル等の合成樹脂からなる電気絶縁性及び熱溶融性を有する、外側透明フィルム１１、中間透明フィルム１２及び内側透明フィルム１３と、外側透明フィルム１１と中間透明フィルム１２との間に配設される、外側電極線用コモン線１４ａによって電気的に相互に接続された状態で上下方向に並列配置されたピアノ線からなる複数の外側耐熱電極線１４と、内側透明フィルム１３と中間透明フィルム１２との間に配設される、内側電極線用コモン線１５ａによって電気的に相互に接続された状態で横方向に並列的に配置されたピアノ線からなる複数の内側耐熱電極線１５と、外側電極線用コモン線１４ａと内側電極線用コモン線１５ａとをコンデンサ（例えば、Ｃ＝１μＦ）１６を介して接続する電極接続部とを備えており、外側透明フィルム１１と中間透明フィルム１２との間に外側耐熱電極線１４、外側電極線用コモン線１４ａ及びコンデンサ１６を挟み込むと共に、内側透明フィルム１３と中間透明フィルム１２との間に内側耐熱電極線１５及び内側電極線用コモン線１５ａを挟み込んだ状態で、中間透明フィルム１２の外面側が外側透明フィルム１１に、中間透明フィルム１２の内面側が内側透明フィルム１３にそれぞれ貼着されている。
【００１６】
前記外側透明フィルム１１、中間透明フィルム１２及び内側透明フィルム１３は、窓ガラスを焼き破る際の熱によって容易に溶融する程度の熱溶融性を有しており、外側耐熱電極線１４及び内側耐熱電極線１５は、窓ガラスを焼き破る際の熱によって容易に溶融しない程度の耐熱性を有している。
【００１７】
前記電極接続部のコンデンサ１６は、一方のリード線が外側電極線用コモン線１４ａに半田付けされると共に他方のリード線が内側電極線用コモン線１５ａに半田付けされており、コンデンサ１６の本体部は外側透明フィルム１１と中間透明フィルム１２との間に配設されているので、他方のリード線は中間透明フィルム１２を貫通して内側電極線用コモン線１５ａに接続されている。
【００１８】
前記焼き破り判定・報知ユニット２０は、図４に示すように、パルス信号（例えば、パルス幅＝５ｍｓ）を出力する制御手段としてのマイクロコンピュータ２１と、このマイクロコンピュータ２１の出力部に接続される信号出力回路２２と、マイクロコンピュータ２１の入力部に接続される、コンデンサＣ及び抵抗Ｒを組み合わせたＣＲ積分回路（例えば、Ｃ＝１０μＦ、Ｒ＝１００ＫΩ）２３ａを有する第１の信号入力回路２３と、マイクロコンピュータ２１の入力部に接続される、入力される立ち上がりエッジ信号を検出する毎に出力信号の状態（ＨｉまたはＬｏｗ）を反転させることでパルス信号を生成するＪＫフリップフロップ回路２４ａを有する第２の信号入力回路２４と、マイクロコンピュータ２１の指示に従って、窓ガラスが焼き破られようとしている旨を報知するアラーム回路２５とを備えており、信号出力回路２２は、接続線３０を介して、焼き破り検知シート１０の内側電極線用コモン線１５ａに接続されると共に、第１の信号入力回路２３及び第２の信号入力回路２４は、接続線３０を介して、焼き破り検知シート１０の外側電極線用コモン線１４ａに接続されるようになっている。なお、マイクロコンピュータ２１に負電圧が入力されないように、アノード側がグランドに接続されたダイオードＤによって構成される入力保護回路がＣＲ積分回路２３ａの入力側に接続されている。
【００１９】
以上のように構成された窓ガラス焼き破り防犯装置１では、図５（ａ）に示すように、正常状態（窓ガラスＷＧが焼き破られようとしておらず、焼き破り検知シート１０と焼き破り判定・報知ユニット２０との間で断線していない状態）において、マイクロコンピュータ２１が信号出力回路２２を介して、同図（ａ）の出力信号に示すようなパルス信号を出力すると、外側電極線用コモン線１４ａと内側電極線用コモン線１５ａとがコンデンサ１６を介して接続されているので、第１の信号入力回路２３には、同図（ａ）のＰ１に示すようなパルス信号の立ち上がりエッジ信号が入力され、この立ち上がりエッジ信号がＣＲ積分回路２３ａを通過することによって、同図（ａ）の入力信号Ａに示すようなＬｏｗ信号としてマイクロコンピュータ２１に入力される。また、第２の信号入力回路２４にも、同図（ａ）のＰ１に示すような立ち上がりエッジ信号が入力されるが、ＪＫフリップフロップ回路２４ａによって、同図（ａ）の入力信号Ｂに示すようなパルス信号に変換され、このパルス信号がマイクロコンピュータ２１に入力される。なお、同図（ａ）〜（ｃ）の２段目の信号状態は、図４に示す焼き破り判定・報知ユニット２０のＰ１における信号状態を示している。
【００２０】
一方、窓ガラスＷＧを焼き破ろうとしてガスバーナーやライターのようなもので局所的に加熱すると、焼き破り検知シート１０を構成している中間透明フィルム１２が溶融し、平面的に交差している外側耐熱電極線１４と内側耐熱電極線１５とが短絡するので、図５（ｂ）に示すように、マイクロコンピュータ２１が信号出力回路２２を介して同図（ｂ）の出力信号に示すようなパルス信号を出力すると、第１の信号入力回路２３には、同図（ｂ）のＰ１に示すようなパルス信号が入力され、このパルス信号がＣＲ積分回路２３ａを通過することによって、同図（ｂ）の入力信号Ａに示すようなＨｉ信号としてマイクロコンピュータ２１に入力される。また、第２の信号入力回路２４にも、同図（ｂ）のＰ１に示すようなパルス信号が入力されるが、ＪＫフリップフロップ回路２４ａによって、同図（ｂ）の入力信号Ｂに示すようなパルス信号に変換され、このパルス信号がマイクロコンピュータ２１に入力される。
【００２１】
以上のように、正常状態ではマイクロコンピュータ２１にＬｏｗ信号が入力されているが、窓ガラスを焼き破ろうとすると、マイクロコンピュータ２１にＨｉ信号が入力されることになるので、マイクロコンピュータ２１は、入力信号ＡとしてＨｉ信号が入力された場合は、窓ガラスが焼き破られようとしていると判定し、アラーム回路２５を駆動して、その旨を報知するようになっている。
【００２２】
また、焼き破り検知シート１０と焼き破り判定・報知ユニット２０との間で断線すると、図５（ｃ）に示すように、マイクロコンピュータ２１が信号出力回路２２を介して同図（ｃ）の出力信号に示すようなパルス信号を出力しても、同図（ｃ）のＰ１に示すように、第２の信号入力回路２４に立ち上がりエッジ信号が入力されず、ＪＫフリップフロップ回路２４ａがパルス信号に変換することができなくなるので、マイクロコンピュータ２１は、入力信号Ｂとしてパルス信号が入力されなくなると、断線していると判定し、アラーム回路２５を駆動して、その旨を報知するようになっている。なお、断線した場合は、同図（ｃ）の入力信号Ａに示すようなＬｏｗ信号が第１の信号入力回路２３からマイクロコンピュータ２１に入力される。
【００２３】
以上のように、この窓ガラス焼き破り防犯装置１では、窓ガラスの焼き破りを直接的に検出しているので、センサによって炎から発せられる赤外線や紫外線を感知することで、窓ガラスの焼き破りを間接的に検出している従来の防犯装置のように、誤検出するおそれがなく、窓ガラスの焼き破りを精度良く検出して報知することができる。
【００２４】
なお、上述した実施形態では、断線検出報知機能を備えた窓ガラス焼き破り防犯装置１について説明したが、断線検出報知機能は必ずしも備えている必要はない。断線検出報知機能を付加しない場合は、図６に示す窓ガラス焼き破り防犯装置１Ａの焼き破り判定・報知ユニット２０Ａのように、第２の信号入力回路は省略することができ、焼き破り検知シート１０Ａにコンデンサを有する電極接続部を設ける代わりに、焼き破り判定・報知ユニット２０Ａ側に、信号出力回路２２と信号入力回路２３とをコンデンサ２６を介して接続することによって、電極接続部を形成してもよい。
【００２５】
また、上述した実施形態では、窓ガラスＷＧの外面に焼き破り検知シート１０を貼着しているが、これに限定されるものではなく、窓ガラスＷＧを焼き破る際に窓ガラスＷＧの外面に加える熱によって、焼き破り検知シート１０の中間透明フィルム１２が溶融するのであれば、窓ガラスＷＧの内面に焼き破り検知シート１０を貼着してもよい。
【００２６】
また、上述した実施形態では、ポリ塩化ビニルによって形成された外側透明フィルム１１、中間透明フィルム１２及び内側透明フィルム１３を採用しているが、電気絶縁性及び窓ガラスを焼き破る際の熱によって容易に溶融する程度の熱溶融性を有しているのであれば、外側透明フィルム１１、中間透明フィルム１２及び内側透明フィルム１３の素材は、特に限定されない。
【００２７】
また、上述した実施形態では、外側耐熱電極線１４及び内側耐熱電極線１５をピアノ線によって形成しているが、導電性及び窓ガラスを焼き破る際の熱によって容易に溶融しない程度の耐熱性を有しているのであれば、外側耐熱電極線１４及び内側耐熱電極線１５の素材は、特に、限定されない。
【００２８】
また、上述した実施形態では、焼き破り判定・報知ユニット２０の信号出力回路２２を焼き破り検知シート１０の内側電極線用コモン線１５ａに接続すると共に、焼き破り判定・報知ユニット２０の第１の信号入力回路２３及び第２の信号入力回路２４を焼き破り検知シート１０の外側電極線用コモン線１４ａに接続しているが、これに限定されるものではなく、信号出力回路２２を焼き破り検知シート１０の外側電極線用コモン線１４ａに接続すると共に、焼き破り判定・報知ユニット２０の第１の信号入力回路２３及び第２の信号入力回路２４を焼き破り検知シート１０の内側電極線用コモン線１５ａに接続するようにしてもよい。
【００２９】
また、上述した実施形態では、窓ガラスの焼き破り判定部とアラーム回路２５からなる焼き破り報知部とを一体的に取り扱っているが、これに限定されるものではなく、窓ガラスの焼き破り判定部と焼き破り報知部とを別体とし、焼き破り判定部に対して焼き破り報知部を有線または無線で接続する構成を採用してもよい。
【００３０】
また、上述した実施形態では、アラーム回路２５によって焼き破り報知等を行っているが、これに限定されるものではなく、文字、音声または光を用いて焼き破り報知等を行うことも可能である。
【図面の簡単な説明】
【００３１】
【図１】（ａ）はこの発明に係る窓ガラス焼き破り防犯装置の一実施形態を取り付けた窓を上から視た概略図、（ｂ）は同上の窓を正面から視た概略図である。
【図２】（ａ）は同上の窓ガラス焼き破り防犯装置を構成している焼き破り検知シートを外側透明フィルム側から視た一部切欠平面図、（ｂ）は同上の焼き破り検知シートを内側透明フィルム側から視た一部切欠平面図である。
【図３】同上の焼き破り検知シートを示す断面図である。
【図４】同上の窓ガラス焼き破り防犯装置を構成している焼き破り判定・報知ユニットを示す概略構成図である。
【図５】（ａ）は同上の窓ガラス焼き破り防犯装置における正常時の信号状態を示す図、（ｂ）は窓ガラスの焼き破り時の信号状態を示す図、（ｃ）は断線時の信号状態を示す図である。
【図６】他の実施形態である窓ガラス焼き破り防犯装置を示す概略図である。
【符号の説明】
【００３２】
１、１Ａ  窓ガラス焼き破り防犯装置
１０、１０Ａ  焼き破り検知シート
１１  外側透明フィルム
１２  中間透明フィルム
１３  内側透明フィルム
１４  外側耐熱電極線
１４ａ  外側電極線用コモン線
１５  内側耐熱電極線
１５ａ  内側電極線用コモン線
１６  コンデンサ
２０、２０Ａ  焼き破り判定・報知ユニット
２１  マイクロコンピュータ（制御手段）
２２  信号出力回路
２３  第１の信号入力回路
２３ａ  ＣＲ積分回路
２４  第２の信号入力回路
２４ａ  ＪＫフリップフロップ回路（パルス信号生成回路）
２５  アラーム回路
２６  コンデンサ
３０  接続線
Ｃ  コンデンサ
Ｄ  ダイオード
Ｒ  抵抗
ＷＦ  窓框
ＷＧ  窓ガラス
【図１】
2008269370.tif 000003
【図２】
2008269370.tif 000004
【図３】
2008269370.tif 000005
【図４】
2008269370.tif 000006
【図５】
2008269370.tif 000007
【図６】
2008269370.tif 000008